(57)【特許請求の範囲】
【請求項１】
保持物体を取り付けるように構成されたスライドレール装置であって、該保持物体は少なくとも１つの取り付け部材を含み、当該スライドレール装置は、
補助部品と、
前記補助部品に対して可動なスライドレールであって、該スライドレールは前記保持物体の少なくとも１つの取り付け部材を通すための取り付け通路を有する、スライドレールと、
操作部材と、
第１の位置と第２の位置との間で前記操作部材に対して可動なロック部材と、
前記スライドレールに可動に取り付けられる可動部材と、
を含み、
前記ロック部材が前記第１の位置に位置している場合、前記ロック部材は前記取り付け通路をブロックし、
前記ロック部材が前記第２の位置に位置している場合、前記ロック部材は前記取り付け通路から離れており、
前記ロック部材が前記第１の位置から前記第２の位置に動かされた場合、前記可動部材は前記ロック部材の動きに反応して動かされ、前記ロック部材が前記操作部材と当接する、スライドレール装置。
【請求項２】
前記補助部品は貫通孔を有し、
前記スライドレール装置は前記補助部品に取り付けられる係合部材をさらに含み、
前記係合部材は弾性部及び係合部を有し、
前記係合部は前記弾性部の弾性力に反応して前記貫通孔と係合するように構成されている、請求項１に記載のスライドレール装置。
【請求項３】
前記スライドレール及び前記係合部のうちの一方は係合解除機構を有し、該係合解除機構は傾斜面又は湾曲面を含む、請求項２に記載のスライドレール装置。
【請求項４】
前記スライドレールは補助孔を含み、
前記係合部材の係合部は前記弾性部の弾性力に反応して前記補助孔を通るように構成されている、請求項２に記載のスライドレール装置。
【請求項５】
前記スライドレールは第１の孔壁及び第２の孔壁を含み、
前記補助孔は前記第１の孔壁と前記第２の孔壁との間に位置している、請求項４に記載のスライドレール装置。
【請求項６】
前記スライドレールが前記補助部品に対して伸長位置から引っ込め位置に動かされた場合、前記係合部材の係合部は前記可動部材をブロックするように構成され、前記可動部材は、前記ロック部材を駆動して前記第１の位置から前記第２の位置に移動させるために、前記係合部によるブロックに反応して前記スライドレールに対して移動する、請求項４に記載のスライドレール装置。
【請求項７】
前記ロック部材と前記可動部材との間に弾性力を提供するように構成された弾性部材をさらに含む、請求項１に記載のスライドレール装置。
【請求項８】
前記ロック部材は第１の当接部を含み、前記操作部材は第２の当接部を含み、前記操作部材が操作された場合、前記ロック部材は前記操作部材の操作に反応して前記第１の位置から前記第２の位置の方に動かされ、前記ロック部材の第１の当接部は前記ロック部材を前記第２の位置で保持するために前記操作部材の第２の当接部と当接する、請求項１に記載のスライドレール装置。
【請求項９】
前記スライドレール及び前記可動部材のうちの一方は拡張孔を有し、
前記スライドレール装置は前記拡張孔の一部を貫通して前記スライドレールと前記可動部材の間に連結される連結部材をさらに含む、請求項１に記載のスライドレール装置。
【請求項１０】
前記ロック部材は前記スライドレールに可動に取り付けられる、請求項１に記載のスライドレール装置。
【請求項１１】
前記操作部材は前記スライドレールに可動に取り付けられる、請求項１に記載のスライドレール装置。
【請求項１２】
前記スライドレール及び前記補助部品のうちの一方は取り付け孔を有し、
前記スライドレール装置は前記取り付け孔の一部を貫通して前記補助部品と前記スライドレールとの間に連結される連結部材をさらに含む、請求項１に記載のスライドレール装置。
【請求項１３】
スライドレール装置であって、
保持物体の少なくとも１つの取り付け部材を通すための取り付け通路を有するスライドレールと、
前記スライドレールに可動に取り付けられるロック部材と、
操作部材と、
前記スライドレールに可動に取り付けられる可動部材と、
を含み、
前記ロック部材が第１の位置に位置している場合、前記ロック部材は前記取り付け通路をブロックし、
前記ロック部材が第２の位置に位置している場合、前記ロック部材は前記取り付け通路から離れており、
前記ロック部材が前記第１の位置から前記第２の位置に動かされると、前記可動部材は前記ロック部材の動きに反応して動かされて、前記ロック部材が前記操作部材と当接する、
スライドレール装置。
【請求項１４】
前記操作部材は前記ロック部材を前記第１の位置と前記第２の位置との間で作動的に動かすように構成されている、請求項１３に記載のスライドレール装置。
【請求項１５】
前記スライドレール装置は前記ロック部材と前記可動部材との間に弾性力を提供するように構成された弾性部材をさらに含む、請求項１３に記載のスライドレール装置。
【請求項１６】
前記ロック部材は第１の当接部を含み、前記操作部材は第２の当接部を含み、
前記操作部材が操作された場合、前記ロック部材は前記操作部材の操作に反応して前記第１の位置から前記第２の位置の方に動かされ、前記ロック部材の第１の当接部は前記ロック部材を前記第２の位置で保持するために前記操作部材の第２の当接部と当接する、請求項１３に記載のスライドレール装置。
【請求項１７】
保持物体をラックに取り付けるように構成されたスライドレール装置であって、該保持物体は少なくとも１つの取り付け部材を含み、当該スライドレール装置は、
前記ラックに取り付けられる補助部品と、
前記補助部品に対して可動なスライドレールであって、該スライドレールは補助孔及び取り付け通路を有し、該取り付け通路は前記保持物体の少なくとも１つの取り付け部材を通すように構成されている、スライドレールと、
ロック部材と、
前記ロック部材を第１の位置と第２の位置との間で作動的に動かすように構成された操作部材と、
前記スライドレールに可動に取り付けられる可動部材と、
前記補助部品に取り付けられる係合部材であって、該係合部材は弾性部及び係合部を有する、係合部材と、
を含み、
前記ロック部材が前記第１の位置に位置している場合、前記ロック部材及び前記操作部材のうちの一方は前記取り付け通路をブロックし、
前記ロック部材が前記第２の位置に位置している場合、前記ロック部材及び前記操作部材のうちの一方は前記取り付け通路から離れており、
前記ロック部材が前記第２の位置に位置し、前記スライドレールが前記補助部品に対して伸長位置から引っ込め位置の方に動かされた場合、前記係合部材の係合部は前記弾性部の弾性力に反応して前記スライドレールの補助孔を通って前記可動部材をブロックし、前記可動部材は、前記ロック部材及び前記操作部材のうちの一方を駆動して前記第２の位置から前記第１の位置に移動させるために前記係合部によるブロックに反応して前記スライドレールに対して動かされる、スライドレール装置。
【請求項１８】
前記補助部品及び前記スライドレールのうちの一方は取り付け孔を有し、
前記スライドレール装置は前記取り付け孔を貫通して前記補助部品と前記スライドレールとの間に連結される連結部材をさらに含む、請求項１７に記載のスライドレール装置。
【請求項１９】
前記ロック部材と前記可動部材との間に弾性力を提供するように構成された弾性部材をさらに含む、請求項１７に記載のスライドレール装置。
【発明の詳細な説明】
【技術分野】
【０００１】
本発明はスライドレール装置に関し、より具体的には保持物体（carried  object）を取り付けるように構成されたスライドレール装置に関する。
【背景技術】
【０００２】
特許文献１にはコンピュータシャーシを支持するための方法及び装置が開示されている。開示されているラックマウント型のコンピュータシステムは少なくとも２つのポスト（１６）を含む。２つのレール（２０）が２つの対応するポストに取り付けられている。各レール（２０）は２つのリブ（２４）を含み、２つのリブは共にスロット（２６）を定義する。スロット（２６）の一部は距離間隔がより大きい。コンピュータコンポーネントシャーシ（１２）はその外面に２つの面（１００、１０２）を含む。各面は少なくとも１つの突起（１０４）を有する。突起は、レールのうちの一方のスロット（２６）に少なくとも部分的に嵌まるように形成されている。
【０００３】
そのため、特許文献１に開示のレール（２０）はスロット（２６）を含む。スロット（２６）はコンピュータコンポーネントシャーシ（１２）の突起（１０４）を収容するとともに、一対のリブ（２４）によってコンピュータコンポーネントシャーシ（１２）を支持することができるように、一対のリブ（２４）を通じて突起（１０４）を保持するように構成されている。しかしながら、レール（２０）のスロット（２６）は開いた通路である。即ち、コンピュータコンポーネントシャーシ（１２）の突起（１０４）はスロット（２６）に自由に出入りすることができる。従って、安全性を考慮して、コンピュータシャーシ（１２）をレール（２０）に取り付ける方法を改善する必要がある。
【先行技術文献】
【特許文献】
【０００４】
【特許文献１】米国特許第６２２０４５６号明細書
【特許文献２】米国特許第８３１７０３７号明細書
【発明の概要】
【発明が解決しようとする課題】
【０００５】
本発明は保持物体を取り付けるように構成されたスライドレール装置に関する。
【課題を解決するための手段】
【０００６】
本発明の一実施形態によれば、スライドレール装置は保持物体を取り付けるように構成されている。保持物体は少なくとも１つの取り付け部材を含む。スライドレール装置は、補助部品（auxiliary  component）と、スライドレールと、操作部材（operating  member）と、ロック部材とを含む。スライドレールは補助部品に対して可動である。スライドレールは保持物体の少なくとも１つの取り付け部材を通すための取り付け通路を有する。ロック部材は、第１の位置と第２の位置との間で操作部材に対して可動である。ロック部材が第１の位置に位置している場合、ロック部材は取り付け通路をブロックし、ロック部材が前記第２の位置に位置している場合、ロック部材は取り付け通路から離れている。
【０００７】
補助部品は貫通孔を有することが好ましい。スライドレール装置は補助部品に取り付けられる係合部材をさらに含む。係合部材は弾性部及び係合部を有する。係合部は弾性部の弾性力に反応して貫通孔と係合するように構成されている。
【０００８】
スライドレール及び係合部のうちの一方は係合解除機構（disengagement  feature）を有することが好ましい。係合解除機構は傾斜面又は湾曲面を含む。
【０００９】
スライドレールは補助孔を含むことが好ましい。係合部材の係合部は弾性部の弾性力に反応して補助孔を通るように構成されている。
【００１０】
スライドレールは第１の孔壁及び第２の孔壁を含むことが好ましい。補助孔は第１の孔壁と第２の孔壁との間に位置している。
【００１１】
スライドレール装置はスライドレールに可動に取り付けられる可動部材をさらに含むことが好ましい。スライドレールが補助部品に対して伸長位置（extended  position）から引っ込め位置（retracted  position）に動かされた場合、係合部材の係合部は可動部材をブロックするように構成され、可動部材は、ロック部材を駆動して第１の位置から第２の位置に移動させるために、係合部によるブロックに反応してスライドレールに対して移動する。
【００１２】
スライドレール装置は、スライドレールに可動に取り付けられる可動部材をさらに含むことが好ましい。ロック部材が第１の位置から第２の位置に動かされた場合、可動部材はロック部材の動きに反応して動かされ、ロック部材が操作部材と当接する。
【００１３】
スライドレール装置はロック装置と可動部材との間に弾性力を提供するように構成された弾性部材をさらに含むことが好ましい。
【００１４】
ロック部材は第１の当接部を含むことが好ましい。操作部材は第２の当接部を含む。操作部材が操作された場合、ロック部材は操作部材の操作に反応して第１の位置から第２の位置の方に動かされ、ロック部材の第１の当接部はロック部材を第２の位置で保持するために操作部材の第２の当接部と当接する。
【００１５】
スライドレール及び可動部材のうちの一方は拡張孔を有することが好ましい。スライドレール装置は拡張孔の一部を貫通してスライドレールと可動部材の間に連結される連結部材をさらに含む。
【００１６】
ロック部材はスライドレールに可動に取り付けられることが好ましい。
【００１７】
操作部材はスライドレールに可動に取り付けられることが好ましい。
【００１８】
スライドレール及び補助部品のうちの一方は取り付け孔を有することが好ましい。スライドレール装置は取り付け孔の一部を貫通して補助部品とスライドレールとの間に連結される連結部材をさらに含む。
【００１９】
本発明の別の実施形態によれば、スライドレール装置はスライドレール及びロック部材を含む。スライドレールは保持物体の少なくとも１つの取り付け部材を通すための取り付け通路を有する。ロック部材はスライドレールに可動に取り付けられる。ロック部材が第１の位置に位置している場合、ロック部材は取り付け通路をブロックし、ロック部材が第２の位置に位置している場合、ロック部材は取り付け通路から離れている。
【００２０】
本発明の別の実施形態によれば、スライドレール装置は保持物体をラックに取り付けるように構成されている。保持物体は少なくとも１つの取り付け部材を含む。スライドレール装置は補助部品と、スライドレールと、ロック部材と、操作部材と、可動部材と、係合部材とを含む。補助部品はラックに取り付けられる。スライドレールは補助部品に対して可動である。スライドレールは補助孔及び取り付け通路を有する。取り付け通路は保持物体の少なくとも１つの取り付け部材を通すように構成されている。操作部材はロック部材を第１の位置と第２の位置との間で作動的に動かすように構成されている。可動部材はスライドレールに可動に取り付けられる。係合部材は補助部品に取り付けられる。係合部材は弾性部及び係合部を有する。ロック部材が第１の位置に位置している場合、ロック部材及び操作部材のうちの一方は取り付け通路をブロックし、ロック部材が第２の位置に位置している場合、ロック部材及び操作部材のうちの一方は取り付け通路から離れており、ロック部材が第２の位置に位置し、スライドレールが補助部品に対して伸長位置から引っ込め位置の方に動かされた場合、係合部材の係合部は弾性部の弾性力に反応してスライドレールの補助孔を通って可動部材をブロックし、可動部材は、ロック部材及び操作部材のうちの一方を駆動して第２の位置から第１の位置に移動させるために係合部によるブロックに反応してスライドレールに対して動かされる。
【００２１】
様々な図面に図示する下記の好ましい実施形態の詳細な説明を読み終えた後、本発明の上記の目的及び他の目的が当業者に間違いなく明らかになる。
【図面の簡単な説明】
【００２２】
【図１】図１は、本発明の一実施形態に係る、ラックに取り付けられた一対のスライドレール装置を示す図である。
【図２】図２は、保持物体を取り付けるように構成された図１のスライドレール装置の分解図である。
【図３】図３は、少なくとも１つの取り付け部材を有する保持物体を説明するための図２の領域Ａの拡大図である。
【図４】図４は、少なくとも１つの孔を有するポスト又はブラケットを説明するための図２の領域Ｂの拡大図である。
【図５】図５は、本発明の一実施形態に係るスライドレール装置の分解図である。
【図６】図６は、補助部品に取り付けられた図５の係合部材を示す図である。
【図７】図７は、少なくとも１つの補助孔を有するスライドレールを説明するための図５の領域Ａの拡大図である。
【図８】図８は、本発明の一実施形態に係るスライドレール装置のスライドレールの分解図である。
【図９】図９は、図８のスライドレールを示す図である。
【図１０】図１０は、本発明の一実施形態に係る、補助部品に対して引っ込め位置に位置するスライドレール装置のスライドレールを示す図である。
【図１１】図１１は、スライドレールの少なくとも１つの補助孔の一部を通過する図１０のスライドレール装置の係合部材の係合部を示す図である。
【図１２】図１２は、本発明の一実施形態に係る、補助部品に対して第１の方向に沿って動かされたスライドレール装置のスライドレールを示す図である。
【図１３】図１３は、係合部材の係合部の係合解除機構と接触する図１２のスライドレールの一部を示す図である。
【図１４】図１４は、本発明の一実施形態に係る、補助部品に対して第１の方向に沿って続けて移動するスライドレール装置のスライドレールを示す図である。
【図１５】図１５は、スライドレールの一方側に隣接するようにスライドレールの補助孔との係合が解除された図１４の係合部材の係合部を示す図である。
【図１６】図１６は、本発明の一実施形態に係る、第１の方向に沿って補助部品に対して伸長位置に動かされたスライドレール装置のスライドレールを示す図であり、ロック部材が第１の位置に位置してスライドレールの取り付け通路をブロックする。
【図１７】図１７は、スライドレールの取り付け通路から遠ざかるように第２の位置に位置する図１６のロック部材を示す図である。
【図１８】図１８は、保持物体を取り付けるように構成された図１７のスライドレール装置のスライドレールを示す図である。
【図１９】図１９は、スライドレールに取り付けられた図１８の保持物体と補助部品に対して第２の方向に沿って動かされたスライドレールを示す図である。
【図２０】図２０は、補助部品に対して第２の方向に沿って動かされた図１９のスライドレール及び係合部材の係合部と接触する可動部材の一部を示す図である。
【図２１】図２１は、ロック部材又は操作部材を駆動して第２の位置から第１の位置に戻すために係合部材の係合部のブロックに反応して動かされた図２０の可動部材を示す図である。
【図２２】図２２は、本発明の一実施形態に係る、補助部品に対して伸長位置に位置するスライドレールと第２の位置に位置するロック部材又は操作部材を示す図である。
【図２３】図２３は、第２の位置から第１の位置に手動で戻すこと可能な図２２のロック部材又は操作部材を示す図である。
【図２４】図２４は、補助部品に対して第２の方向に沿って動かされた図２３のスライドレールを示す図である。
【発明を実施するための形態】
【００２３】
図１は、本発明の一実施形態に係る、ラック２２に適用可能な一対のスライドレール装置２０を示す図である。具体的には、各スライドレール装置２０はラック２２の第１のポスト２４ａ及び第２のポスト２４ｂに取り付けられている。各スライドレール装置２０はスライドレール２６を含む。スライドレール２６は補助部品２８を通じて第１のポスト２４ａ及び第２のポスト２４ｂに取り付け可能であることが好ましい。さらに、補助部品２８はスライドレール（固定レール等）、ブラケットベース等であり得る。補助部品２８の２つの部分（前方部及び後方部等）は第１のブラケット３０及び第２のブラケット３２を通じてそれぞれ第１のポスト２４ａ及び第２のポスト２４ｂに取り付けることができる。それに加えて、スライドレール２６は補助部品２８に対して引っ込め位置Ｒに位置することができる。スライドレール装置２０はスライドレール２６に連結された固定装置３４をさらに含むことが好ましい。スライドレール２６が引っ込め位置Ｒに位置している場合、固定装置３４は第１のポスト２４ａ又は第１のブラケット３０に隣接する。
【００２４】
図２に示すように、スライドレール装置２０は保持物体３６を取り付けるように構成されている。保持物体３６は電気機器のシャーシ又は引き出しであり得る。保持物体３６は少なくとも１つの取り付け部材（又は取り付け部）を含む。本実施形態では、保持物体３６は、例えば第１の取り付け部材３８ａ、第２の取り付け部材３８ｂ及び第３の取り付け部材３８ｃを含む。取り付け部材３８ａ、３８ｂ、３８ｃは側部４０等の保持物体３６の一部に位置している。
【００２５】
図３に示すように、各取り付け部材（図３は第２の取り付け部材３８ｂのみを示す）は側部４０から突出している。第１の取り付け部材３８ａ、第２の取り付け部材３８ｂ及び第３の取り付け部材３８ｃは互いに離間されている。他方で、スライドレール２６は補助部品２８に対して引っ込め位置Ｒから伸長位置Ｅに第１の方向Ｄ１に沿って動かすことができる。スライドレール２６は保持物体３６を取り付けるように構成されている。スライドレール２６は支持部４２及び側壁４４を含む。支持部４２は側壁４４に実質的に垂直に連結されている。スライドレール２６は保持物体３６の取り付け部材３８ａ、３８ｂ、３８ｃを通すための取り付け通路４６を有し、スライドレール２６の支持部４２は保持物体３６を支持するように構成されている。保持物体３６は固定装置３４と係合するように構成された耳部４８をさらに含むことが好ましい。図４に示すように、固定装置３４は第１のブラケット３０（又は第１のポスト２４ａ）の少なくとも１つの孔５０に取り付けることができる。
【００２６】
図５に示すように、スライドレール２６及び補助部品２８の一方は少なくとも１つの取り付け孔５２を有する。本実施形態では、例えばスライドレール２６の側壁４４が複数の取り付け孔５２を有する。複数の取り付け孔５２はスライドレール２６の長手方向に沿って配置されており、互いに離間されている。スライドレール装置２０は少なくとも１つの取り付け孔５２に対応する少なくとも１つの連結部材５４をさらに含む。本実施形態では、例えばスライドレール装置２０は複数の連結部材５４を含む。各連結部材５４は対応する取り付け孔５２の一部を貫通して補助部品２８とスライドレール２６との間に連結される。
【００２７】
図６に示すように、補助部品２８は前方部５６及び後方部５８を有する。少なくとも１つの貫通孔６０が補助部品２８の前方部５６と後方部５８との間に配置されている。本実施形態では、少なくとも１つの貫通孔６０は例えば補助部品２８の前方部５６に隣接して位置している。スライドレール装置２０は補助部品２８に取り付けられる係合部材６２をさらに含む。係合部材６２の一部はネジ、溶接又は係合により補助部品２８に取り付けることができる。係合部材６２は弾性部６４と、弾性部６４に連結された少なくとも１つの係合部６６を有する。少なくとも１つの係合部６６は少なくとも１つの貫通孔６０と係合でき、弾性部６４の弾性力に反応してスライドレール２６の方を向くことができる。さらに、図７に示すように、スライドレール２６は係合部材６２の係合部６６を通すための少なくとも１つの補助孔６８を含む。
【００２８】
図８及び図９に示すように、スライドレール２６は前方部７０及び後方部７２を有する。本実施形態では、取り付け通路４６は例えばスライドレール２６の前方部７０に隣接して配置されている。スライドレール２６は、側壁４４に対して屈曲された第１の壁部７３ａ及び第２の壁部７３ｂ等の少なくとも１つの壁部を有することが好ましい。取り付け通路４６は第１の壁部７３ａと第２の壁部７３ｂとの間に形成されている。取り付け通路４６は開口又は溝であり得るがそれらに限定されない。他方で、ブロック部７４はスライドレール２６の後方部７２に隣接して配置されている。ブロック部７４は保持物体３６がスライドレール２６に取り付けされた場合に保持物体３６と当接するように構成されている。
【００２９】
スライドレール装置２０は操作部材７６及びロック部材７８をさらに含む。スライドレール装置２０は可動部材８０及び弾性部材８２をさらに含むことが好ましい。
【００３０】
操作部材７６はロック部材７８を作動的に動かすように構成されている。操作部材７６はスライドレール２６に可動に取り付けられている。例えば、操作部材７６は、第１のシャフト部材８４によりスライドレール２６の側壁４４、第１の壁部７３ａ及び第２の壁部７３ｂのうちの１つに枢結されている。本実施形態では、固定装置３４は２つの第１のシャフト部材８４によりスライドレール２６の第１の壁部７３ａ及び第２の壁部７３ｂに取り付けられている。
【００３１】
ロック部材７８はスライドレール２６に可動に取り付けられている。例えば、ロック部材７８は第２のシャフト部材８６によりスライドレール２６の側壁４４に枢結できる。
【００３２】
可動部材８０はスライドレール２６に可動に取り付けられている。スライドレール２６の可動部材８０及びスライド壁４４の一方は拡張孔８８を有する。本実施形態では、例えば可動部材８０が拡張孔８８を有する。スライドレール装置２０はさらに少なくとも1つの連結部材９０、例えば拡張孔８８の一部を貫通してスライドレール２６と可動部材８０との間に連結される２つの連結部材９０を含む。
【００３３】
弾性部材８２はロック部材７８と可動部材８０との間に弾性力を提供するように構成されている。
【００３４】
図１０及び図１１に示すように、スライドレール２６が補助部品２８に対して引っ込め位置Ｒに位置している場合、係合部材６２の係合部６６は補助部品２８の貫通孔６０と係合し、弾性部６４の弾性力に反応してスライドレール２６の補助孔６８の一部を貫通する。スライドレール２６は第１の孔壁９２ａ及び第２の孔壁９２ｂを含むことが好ましい。補助孔６８は第１の孔壁９２ａと第２の孔壁９２ｂとの間に位置している。スライドレール２６及び係合部６６の一方は係合解除機構を有する。本実施形態では、例えば係合部６６が係合解除機構９４を有する。係合解除機構９４は傾斜面又は湾曲面であり得る。それに加えて、可動部材８０の一部は第１の孔壁９２ａと第２の孔壁９２ｂとの間に位置し、係合部６６に対応する。
【００３５】
図１２及び図１３に示すように、スライドレール２６が補助部品２８に対して引っ込め位置Ｒから第１の方向Ｄ１に沿って動かされると、スライドレール２６の第１の孔壁９２ａは係合部６６の係合解除機構９４と接触する。
【００３６】
図１４及び図１５に示すように、スライドレール２６が補助部品２８に対して第１の方向Ｄ１に沿って続けて移動すると、スライドレール２６の第１の孔壁９２ａは、係合部６６の補助孔６８との係合を解除するために係合部材６２の係合部６６の係合解除機構９４と当接する。係合部６６とスライドレール２６の補助孔６８との係合が解除されるため、係合部６６は弾性部６４の弾性力に反応してスライドレール２６の一方側に隣接して位置する。
【００３７】
図１６及び図１７に示すように、ロック部材７８は操作部材７６に対して第１の位置Ｐ１と第２の位置Ｐ２との間に位置するように構成されている。ロック部材７８が第１の位置Ｐ１に位置する場合、ロック部材７８（又は操作部材７６）は取り付け通路４６を閉じるために取り付け通路４６をブロックする。それに加えて、ロック部材７８は第１の当接部９８を含み、操作部材７６は第２の当接部１００を含む。
【００３８】
スライドレール２６が第１の方向Ｄ１に沿って補助部品２８に対して伸長位置Ｅに動かされると、ユーザーは操作部材７６を操作し、操作部材７６の操作に反応してロック部材を逸らして第１の位置Ｐ１から第２の位置Ｐ２に動かすことができ、そしてロック部材７８は操作部材７６と当接する。例えば、ロック部材７８の第１の当接部９８は、ロック部材７８（又は操作部材７６）を第２の位置Ｐ２で保持するために操作部材７６の第２の当接部１００と当接する。ロック部材７８が第２の位置Ｐ２に位置している場合、ロック部材７８（又は操作部材７６）は、取り付け通路４６を開くために取り付け通路４６から離れている。それに加えて、ロック部材７８が第１の位置Ｐ１から第２の位置Ｐ２に動かされると、可動部材８０はロック部材７８の動きに反応して第１の方向Ｄ１と反対の方向に沿って移動する。弾性部材８２の弾性力を通じて、ロック部材７８が第２の位置Ｐ２で保持されて、可動部材８０及び操作部材７６に当接することが好ましい。
【００３９】
図１８及び図１９に示すように、ロック部材７８が第２の位置Ｐ２に位置している場合（即ち、ロック部材７８及び操作部材７６が取り付け通路４６から離れている場合）、ユーザーは第２の方向Ｄ２に沿って保持物体３６をスライドレール２６に取り付けることができる。そのような取り付けプロセスでは、保持物体３６の複数の取り付け部材（図１８には第１の取り付け部材３８ａ及び第３の取り付け部材３８ｃのみを示す）を続けてスライドレール２６の取り付け通路４６に通すことができ、スライドレール２６の支持部４２は保持物体３６を支持するように構成されている。スライドレール２６の支持部４２が保持物体３６を支持した状態で保持物体３６の第３の取り付け部材３８ｃが第２の方向Ｄ２に沿ってスライドレール２６の取り付け通路４６に通されると、ユーザーは力を加えることで、スライドレール２６を補助部品２８に対して伸長位置Ｅから引っ込め位置Ｒの方に第２の方向Ｄ２に沿って動かすことができる。
【００４０】
図２０及び図２１に示すように、前述の移動プロセスの間にスライドレール２６の補助孔６８が係合部材６２の係合部６６に対応すると、係合部６６は、可動部材８０をブロックするために弾性部６４の弾性力に対応して（図１１参照）、補助孔６８を再度貫通する。従って、スライドレール２６が続けて第２の方向Ｄ２に沿って移動すると、可動部材８０は、取り付け通路４６を再びブロックするために可動部材８０がロック部材７８（又は操作部材７６）を駆動して第２の位置Ｐ２から第１の位置Ｐ１に移動するように、係合部６６のブロックに反応してスライドレール２６に対して第１の方向Ｄ１（第２の方向と反対の方向）に沿って動かされる。即ち、ロック部材７８が第１の位置Ｐ１に位置している場合にロック部材７８（又は操作部材７６）が取り付け通路４６を閉じることができるように、ロック部材７８及び操作部材７６はマニュアル操作なしに（ロック部材７８及び操作部材７６を操作する必要なく）自動的に初期状態に戻ることができる。従って、保持物体３６はスライドレール２６から取り外すことができない。
【００４１】
図２２及び図２３に示すように、別の操作モードでは、スライドレール２６の支持部４２が保持物体３６を支持した状態で保持物体３６の第３の取り付け部材３８ｃがスライドレール２６の取り付け通路４６を通ると、ユーザーは、ロック部材７８を第２の位置Ｐ２から第１の位置Ｐ１に動かすために操作部材７６又はロック部材７８を手動で操作することができる。同様に、取り付け通路４６も閉じることができる。
【００４２】
図２４に示すように、ロック部材７８が第１の位置Ｐ１に位置している場合、ユーザーは力を加えることでスライドレール２６を補助部品２８に対して伸長位置Ｅから第２の方向に沿って引っ込めることができる。
【００４３】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００４４】
２０  スライドレール装置
２２  ラック
２４ａ、２４ｂ  ポスト
２６  スライドレール
２８  補助部品
３０  第１のブラケット
３２  第２のブラケット
３４  固定装置
３６  保持物体
３８  取り付け部材
４０  側部
４２  支持部
４４  側壁
４６  取り付け通路
４８  耳部
５０  孔
５２  取り付け孔
５４  連結部材
５６  前方部
５８  後方部
６０  貫通孔
６２  係合部材
６４  弾性部
６６  係合部
６８  補助孔
７０  前方部
７２  後方部
７４  ブロック部
７６  操作部材
７８  ロック部材
８０  可動部材
８２  弾性部材
８４  第１のシャフト部材
８６  第２のシャフト部材
８８  拡張孔
９０  連結部材
９２ａ、９２ｂ  孔壁
９４  係合解除機構
【図１】
0006310995.tif 000002
【図２】
0006310995.tif 000003
【図３】
0006310995.tif 000004
【図４】
0006310995.tif 000005
【図５】
0006310995.tif 000006
【図６】
0006310995.tif 000007
【図７】
0006310995.tif 000008
【図８】
0006310995.tif 000009
【図９】
0006310995.tif 000010
【図１０】
0006310995.tif 000011
【図１１】
0006310995.tif 000012
【図１２】
0006310995.tif 000013
【図１３】
0006310995.tif 000014
【図１４】
0006310995.tif 000015
【図１５】
0006310995.tif 000016
【図１６】
0006310995.tif 000017
【図１７】
0006310995.tif 000018
【図１８】
0006310995.tif 000019
【図１９】
0006310995.tif 000020
【図２０】
0006310995.tif 000021
【図２１】
0006310995.tif 000022
【図２２】
0006310995.tif 000023
【図２３】
0006310995.tif 000024
【図２４】
0006310995.tif 000025